(57)【要約】【課題】蓋を閉じた時の衝撃や構成部材の変位に起因した内容物の割れを回避する。【解決手段】内容物装填用の中皿を１入れ込む凹部空間2aを有する容器本体２と、この容器本体２に枢支軸を介して開閉可能に揺動連結され、該凹部空間2aを区画形成する枠体３の外側壁に配設された係止片６に連係させて容器を密閉状態に維持する蓋体４とを備えたコンパクト容器において、前記枠体３の内側壁及び前記中皿１の外周壁の少なくとも一方に、それらの相互間で非接触部ｅを形成する凸部８を設ける。【選択図】図１
2006325628.tif 000002
【特許請求の範囲】
【請求項１】
内容物装填用の中皿を入れ込む凹部空間を有する容器本体と、この容器本体に枢支軸を介して開閉可能に揺動連結され、該凹部空間を区画形成する枠体の外側壁に配設された係止片に連係させて容器を密閉状態に維持する蓋体とを備えたコンパクト容器であって、
前記枠体の内側壁及び前記中皿の外周壁の少なくとも一方に、それらの相互間で非接触部を形成する凸部を設けたことを特徴とするコンパクト容器。
【請求項２】
前記非接触部は、係止片が配設された枠体の内側壁と中皿の外周壁との間に設けられた隙間である、請求項１記載のコンパクト容器。
【請求項３】
前記凸部は、中皿の周りに沿って連続して延びるリブあるいは中皿の周りに沿い間隔を開けて設けられた複数のリブである、請求項１又は２記載のコンパクト容器。
【請求項４】
前記非接触部は、中皿の上端から下端に至るまでの寸法に対し、該中皿の上端から概ね１／３以上の深さを有する、請求項１〜３の何れかに記載のコンパクト容器。
【請求項５】
前記非接触部は、係止片の幅よりも広い幅を有する、請求項１〜４の何れかに記載のコンパクト容器。
【発明の詳細な説明】
【技術分野】
【０００１】
本発明は、プレストパウダー（粉末体を加圧して固形化したもの）の如きを内容物として装填した中皿を備えたコンパクト容器につき、蓋体を閉じた際の衝撃、枠体の変位等に起因して発生することが懸念された内容物の割れを確実に回避しようとするものである。
【背景技術】
【０００２】
化粧料の携帯に使用されるコンパクト容器は、普通、化粧料を使い切ったのちに新たに化粧料を補填して該コンパクト容器自体を長期間にわたって利用できるように中皿の取替えが可能になっている。
【０００３】
かかるコンパクト容器は、落下に伴う衝撃によって中皿に装填された内容物に割れが入るのを回避するために種々の緩衝構造が提案されているが（例えば、特許文献１参照）、蓋を閉めた際の衝撃に起因した内容物の割れや蓋を閉めた時の枠体の変形による割れ（枠体の変形により中皿の側壁が押圧されて内容物に割れが入る）がしばしば見受けられ、この点に関する対策は今のところなされていないのが現状であった。
【特許文献１】特開平3−31206号公報
【発明の開示】
【発明が解決しようとする課題】
【０００４】
本発明の課題は、蓋を閉めた際の衝撃や枠体の変形に起因した内容物の割れを回避できる新規なコンパクト容器を提案するところにある。
【課題を解決するための手段】
【０００５】
本発明は、内容物装填用の中皿を入れ込む凹部空間を有する容器本体と、この容器本体に枢支軸を介して開閉可能に揺動連結され、該凹部空間を区画形成する枠体の外側壁に配設された係止片に連係させて容器を密閉状態に維持する蓋体とを備えたコンパクト容器であって、
前記枠体の内側壁及び前記中皿の外周壁の少なくとも一方に、それらの相互間で非接触部を形成する凸部を設けたことを特徴とするコンパクト容器である。
【０００６】
上記の構成になるコンパクト容器において、前記非接触部は、係止片が配設された枠体の内側壁と中皿の外周壁との間に設けられた隙間とするのがよい。
【０００７】
また、前記凸部は、中皿の周りに沿って連続して延びるリブあるいは中皿の周りに沿い間隔を開けて設けられた複数のリブが有利に適合する。
【０００８】
前記非接触部は、中皿の上端から下端に至るまでの寸法に対し、該中皿の上端から概ね１／３以上の深さとするのが望ましく、さらには、係止片の幅よりも広い幅を有するものとするのが望ましい。
【発明の効果】
【０００９】
中皿を入れ込む凹部空間を区画形成する枠体と中皿との間に非接触部を形成したので蓋を閉じたときの衝撃が直接伝播されたり、該枠体の変形に伴って中皿が押圧されることがなく、内容物の割れは回避される。
【発明を実施するための最良の形態】
【００１０】
以下、図面を用いて本発明をより具体的に説明する。
図１は本発明に従うコンパクト容器の外観斜視図であり、図中１は内容物装填用の中皿、２は容器本体である。容器本体２は中皿１を入れ込むことができる凹部空間2aを有しており、その底部には中皿１を取替える際にピンやコイン等によって中皿１の底部から押し上げるための開口部2bが形成されている。
【００１１】
また、３は容器本体２の内側に嵌り込んでその内側に凹部空間2aを区画形成する枠体、４は容器本体２に枢支軸（図示せず）を介して開閉可能に揺動連結された蓋体、５は蓋体４の揺動最先端の下面に設けられたフック、６は容器の前側で枠体３の外側壁に一体的に形成された係止片である。この係止片６は蓋体４が閉じたときにフック５と連係するものであって、これにより容器は密閉状態に維持される。
【００１２】
７は容器本体２の前側凹部ｔで枢軸を介してスイング可能に保持された押しボタンである。この押しボタン７は、フック５の下端を蹴り上げることにより係止片６が設けられた枠体３の前側部分を弾性変位させてフック５と係止片６との連係を解除して蓋体４の開放を可能とする。なお、押しボタン７は前述の枢着される回転タイプのものに限るものではなく、スライドタイプの押しボタンの採用も可能であり、さらには、押しボタンを介さずフック５と係止片６とを連係するタイプのコンパクト容器としてもよい。
【００１３】
さらに、８は枠体３の内側壁の下側で、その回りに沿い間隔を開けて設けられた凸部（縦リブ）である。この凸部８は、容器の前側断面を拡大して図２に示すように、枠体３と中皿１との相互間で非接触部ｅを形成する。
【００１４】
枠体３と中皿１とが接触した状態にあると、フック５と係止片６の連係を解除すべく押しボタン７を押したとき枠体３が弾性変位するためそれに伴って中皿１が押されるとともに蓋体４を閉じた際の衝撃が枠体３を通して中皿１に伝播されるので内容物が割れるおそれがあるが、本発明に従うコンパクト容器は、非接触部ｅが存在するため蓋体４を閉じた際の衝撃や枠体３の弾性変位に伴う押圧力が中皿１に直接伝播されることはなく、従って内容物は簡単には割れない。
【００１５】
上掲図１においては、非接触部ｅを形成するための凸部８を縦リブとして、枠体３の内側壁の全域（４面）に設けた場合について例示したが、該凸部８は枠体３の弾性変形を伴う部位に設けておけばよく、必ずしも４面あるいは対向位置の２箇所に設ける必要はない。
【００１６】
非接触部ｅは図２に示すように中皿１の上端から下端に至るまでの寸法Ｈに対し、該中皿１の上端から概ね１／３以上の深さＨ１になるように凸部８を設けるのがよく、これにより蓋体４を閉めた際の衝撃や枠体３が弾性変位した際の影響を著しく小さくできる。
【００１７】
また、非接触部ｅが係止片６の幅よりも広い幅となるように凸部（縦リブ）８の設置間隔を係止片６の幅よりも大きくするのがよく、これにより蓋体４を閉めた際の衝撃や枠体３の弾性変位による影響をさらに小さくすることができる。
【００１８】
凸部８は図３、図４に示すように中皿の周りに沿って連続して延びるリブを適用してもよいし、中皿１側に設けてもよく、この点に関してはとくに限定されない。また、実施例では容器本体２の内側に枠体３を配置しこの枠体３を利用して凹部空間2aを区画形成するようにしたが、該枠体３は容器本体２と一体成形されたものに変更することも可能で、この場合、凸部８は容器本体２に直接設けられる。
【産業上の利用可能性】
【００１９】
蓋を閉じた際の衝撃や容器の構成部材の変位に起因して発生する内容物の割れを回避できるコンパクト容器が提供できる。
【図面の簡単な説明】
【００２０】
【図１】本発明に従うコンパクト容器の実施の形態を示した図である。
【図２】図１に示したコンパクト容器の要部の断面を拡大して示した図である。
【図３】本発明に従うコンパクト容器の他の実施の形態を示した図である。
【図４】本発明に従うコンパクト容器のさらに他の実施の形態を示した図である。
【符号の説明】
【００２１】
１  中皿
２  容器本体
2a  凹部空間
2b  開口部
３  枠体
４  蓋体
５  フック
６  係止片
７  押しボタン
８  凸部
ｅ  非接触部
【図１】
2006325628.tif 000003
【図２】
2006325628.tif 000004
【図３】
2006325628.tif 000005
【図４】
2006325628.tif 000006